(57)【特許請求の範囲】
【請求項１】
家畜の糞尿を輸送する家畜糞尿輸送システムであって、
家畜の糞尿から液体分を分離する固液分離装置と、分離された液体分を一時的に貯留して所定量になったときに真空圧によって吸い出す真空弁ユニットと、吸い出された液体分を真空圧によって輸送する真空管路と、真空圧を発生させる真空ステーションと、を備え、
前記真空弁ユニットには、前記真空管路の内面を洗浄する洗浄水を供給する通水手段が接続され、
該通水手段が、前記固液分離装置の分離した液体分を受容する液受け部に接続されたことを特徴とする家畜糞尿輸送システム。
【請求項２】
前記固液分離装置が、家畜の糞尿から液体分を直接分離することができるスクリュープレス方式のものであることを特徴とする請求項１に記載の家畜糞尿輸送システム。
【請求項３】
前記通水手段は、前記固液分離装置が停止してから前記液体分が前記真空弁ユニットへ到達するのに必要な所定の待ち時間が経過した場合に通水を開始することを特徴とする請求項１または請求項２に記載の家畜糞尿輸送システム。
【請求項４】
前記通水手段は、通水を開始してから前記真空弁ユニットを少なくとも２回開弁するのに必要な量の洗浄水を通水するのに必要な所定の通水時間が経過した場合又は通水を開始してから上記した所定の通水流量を通水した場合に、通水を停止することを特徴とする請求項１乃至請求項３のいずれか一項に記載の家畜糞尿輸送システム。
【請求項５】
前記固液分離装置および前記真空弁ユニットが、酪農家の施設に設けられ、
前記真空ステーションが、バイオガスプラントに設けられ、
前記バイオガスプラントが、前記液体分を発酵させる発酵槽と、発酵槽で発生されたメタンガスで発電を行なうコー・ジェネシステムとを備えたことを特徴とする請求項１乃至請求項４のいずれか一項に記載の家畜糞尿輸送システム。
【発明の詳細な説明】
【技術分野】
【０００１】
本発明は、家畜の糞尿を輸送する家畜糞尿輸送システムに関するものである。
【背景技術】
【０００２】
近年、家畜の糞尿を液肥・固肥に分離する家畜糞尿処理プラントが実用化されている。
【０００３】
この家畜糞尿処理プラントでは、固液分離装置によって糞尿から液体分を分離することで、水分を抜いた固体分の発酵を促進するとともに、液体分を好気性発酵させる。
【０００４】
例えば、特許文献１では、糞尿の発酵処理において、糞尿から排出される浸出水を収集して糞尿の上に散布または飛散させることで、浸出水の発生を抑えるとともに、送風して糞尿の発酵環境を調整することで、効率よく発酵させている。
【０００５】
一方、人工密度の小さい地域などにおいては、下水を真空圧によって搬送させる真空式下水道システムが採用されている。
【０００６】
この真空式下水道システムは、管路内に発生させた真空圧と大気圧の差圧によって汚水を空気と混合させて収集・搬送するものであり、真空弁ユニット、真空下水管、真空ステーションなどによって主に構成されている。
【０００７】
例えば、特許文献２には、真空式下水道システムの真空弁ユニット内に、自動吸気弁が接続され、真空度に応じて開閉されることで、真空管路のリフト部が汚水によって水封されることを防止する構成が開示されている。
【特許文献１】特許第３５０８１０６号公報
【特許文献２】特開２００１−８１８５２号公報
【発明の開示】
【発明が解決しようとする課題】
【０００８】
ところで、上記した家畜糞尿処理において、複数の酪農家から出た糞尿の液体分をバイオガスプラントに輸送し、集中的に発酵処理することがある。この際には、液体分を効率よく輸送することが必要であった。
【０００９】
しかしながら、前記特許文献１には、発酵処理を効率よく行う構成は開示されているものの、液体分を輸送する構成は開示されていなかった。
【００１０】
また、前記特許文献２の真空式下水道システムの構成では、家畜の糞尿に混入している藁などの固体分によって真空管路が閉塞されてしまい、輸送できなくなるおそれがあった。
【００１１】
そこで、本発明は、家畜の糞尿を効率よく輸送できる家畜糞尿輸送システムを提供することを目的としている。
【課題を解決するための手段】
【００１２】
前記目的を達成するために、本発明の家畜糞尿輸送システムは、家畜の糞尿を輸送する家畜糞尿輸送システムであって、家畜の糞尿から液体分を分離する固液分離装置と、分離された液体分を一時的に貯留して所定量になったときに真空圧によって吸い出す真空弁ユニットと、吸い出された液体分を真空圧によって輸送する真空管路と、真空圧を発生させる真空ステーションと、を備えることを特徴とする。
【００１３】
また、前記真空弁ユニットには、前記真空管路の内面を洗浄する洗浄水を供給する通水手段が接続され、前記通水手段が、前記固液分離装置の分離した液体分を受容する液受け部に接続されることを特徴とする。
また、前記固液分離装置が、家畜の糞尿から液体分を直接分離することができるスクリュープレス方式のものであることが好ましい。
【００１４】
さらに、前記通水手段は、前記固液分離装置が停止してから前記液体分が前記真空弁ユニットへ到達するのに必要な所定の待ち時間が経過した場合に通水を開始することができる。
【００１５】
そして、前記通水手段は、通水を開始してから前記真空弁ユニットを少なくとも２回開弁するのに必要な量の洗浄水を通水するのに必要な所定の通水時間が経過した場合又は通水を開始してから上記した所定の通水流量を通水した場合に、通水を停止することができる。
【００１６】
また、前記固液分離装置および前記真空弁ユニットが、酪農家の施設に設けられ、前記真空ステーションが、バイオガスプラントに設けられ、前記バイオガスプラントが、前記液体分を発酵させる発酵槽と、発酵槽で発生されたメタンガスで発電を行なうコー・ジェネシステムとを備えた構成とすることができる。
【発明の効果】
【００１７】
このように、本発明の家畜糞尿輸送システムは、家畜の糞尿から液体分を分離する固液分離装置と、分離された液体分を一時的に貯留して所定量になったときに真空圧によって吸い出す真空弁ユニットと、吸い出された液体分を真空圧によって輸送する真空管路と、真空圧を発生させる真空ステーションと、を備えている。
【００１８】
したがって、固液分離装置によって固体分を取り除くことで、固体分によって真空管路が閉塞されることなく、液体分を効率よく輸送できる。
【００１９】
また、真空弁ユニットには、真空管路の内面を洗浄する洗浄水を供給する通水手段が接続されることで、高粘度の液体分が真空管路の内面に付着しても、真空弁ユニットを介して通水して洗浄できる。
この際、通水手段は、固液分離装置によって分離された液体分を受容する液受け部に接続されることで、真空弁ユニットの上流側（液受け部、及び、液受け部から真空弁ユニットまでの間）及び下流側の両方の管路を洗浄できる。
そして、前記固液分離装置をスクリュープレス方式のものとすることにより、家畜の糞尿から液体分を直接分離することができる。
【００２０】
さらに、通水手段は、固液分離装置が停止してから前記液体分が前記真空弁ユニットへ到達するのに必要な所定の待ち時間が経過した場合に通水を開始することで、供給された洗浄水が糞尿から分離された液体分と混合されないで洗浄することができる。
【００２１】
そして、通水手段は、通水を開始して所定の通水時間が経過した場合又は通水を開始してから前記真空弁ユニットを少なくとも２回開弁するのに必要な量の洗浄水を通水するのに必要な所定の通水流量を通水した場合などに通水を停止することで、洗浄のための水量が不足することなく、適切な水量によって真空管路の内面を確実に洗浄できる。
【００２２】
前記固液分離装置および前記真空弁ユニットが、酪農家の施設に設けられ、前記真空ステーションが、バイオガスプラントに設けられ、前記バイオガスプラントが、前記液体分を発酵させる発酵槽と、発酵槽で発生されたメタンガスで発電を行なうコー・ジェネシステムとを備えたことにより、液体分を有効活用することができる。
【発明を実施するための最良の形態】
【００２３】
以下、本発明の最良の実施の形態について図面を参照して説明する。
【００２４】
まず、図１を用いて本発明の家畜糞尿輸送システムＳを備える家畜糞尿処理プラントＰの全体構成を説明する。
【００２５】
本実施の形態の家畜糞尿処理プラントＰは、図１に示すように、酪農家ＲとバイオガスプラントＢとが家畜糞尿輸送システムＳによって接続されて構成されている。
【００２６】
このような家畜糞尿処理プラントＰを稼動させることで、糞尿の固体分は酪農家Ｒの牧草地で堆肥として活用され、液体分はバイオガスプラントＢ内で電力用や温水用に使用され、酪農家Ｒで冬季の暖房等のエネルギーとして活用され、牧草地で有機肥料として活用される。
【００２７】
この酪農家Ｒは、牛舎６１などの飼育施設、牛舎６１から出た糞尿を固液分離装置１まで搬送するベルトコンベア６２、糞尿から液体分を分離する固液分離装置１、分離された固形物を多く含む固体分を堆肥舎６４まで運搬するベルトコンベア６３、固体分を発酵させる堆肥舎６４、液体分をマンホール２まで流下させる自然流下管路６６、液体分を一時的に貯留する真空弁ユニットとしてのマンホール２、などを備えている。
【００２８】
そして、このマンホール２には、真空管路３の一端が接続され、真空管路３の他端が接続されたバイオガスプラントＢの真空ステーション４を介して糞尿タンク６７に接続されている。
【００２９】
この堆肥舎６４には、固液分離装置１によって液体分が分離されて液体分の割合が減少した固体分が運搬されて貯留される。この固体分は、数時間程度で発酵を開始し、発酵開始から１ヶ月程度で堆肥として利用できる。
【００３０】
また、自然流下管路６６は、図２（ａ）に示すように、固液分離装置１の液受け部１１とマンホール２とを接続する管路であり、固液分離装置１で分離された液体分を下り勾配によって自然流下させる。
【００３１】
そして、本実施の形態の固液分離装置１の液受け部１１には、通水バルブ５１を有する通水管５２が接続されており、自然流下管路６６を通じてマンホール２に通水できる通水手段５Ａが形成されている。
【００３２】
この通水手段は、図２（ｂ）に示すように、固液分離装置１の液受け部１１に溜めマス５３が接続され、溜めマス５３からポンプ５４を有する圧送管路５５を通じてマンホール２に液体分を搬送する場合でも、液受け部１１に通水管５２が接続されて通水手段５Ｂが形成される。
【００３３】
すなわち、通水手段５Ａ，５Ｂは、通水バルブ５１を有する通水管５２と通水管５２が接続される液受け部１１とを備えており、自然流下式では液受け部１１から自然流下管路６６を通じてマンホール２へ通水し、ポンプ圧送式では液受け部１１から溜めマス５３を介して圧送管路５５を通じてマンホール２へ通水する。
【００３４】
また、バイオガスプラントＢは、図１に示すように、真空管路３が接続される真空ステーション４、真空ステーション４を介して糞尿の液体分を貯留する糞尿タンク６７、糞尿タンク６７から液体分を受容して発酵させる発酵槽６８、発酵槽６８で発生した消化液を貯留する貯留槽スラリーストアー７１、発酵槽６８で発生したメタンガスを貯留するガスホルダー６９、このガスホルダー６９からメタンガスを受容して発電するコー・ジェネシステム７０、などを備えている。
【００３５】
そして、本実施の形態の家畜糞尿輸送システムＳは、家畜の糞尿から液体分を分離する固液分離装置１と、分離された液体分を一時的に貯留して所定量になったときに真空圧によって吸い出す真空弁ユニットとしてのマンホール２と、吸い出された液体分を真空圧によって輸送する真空管路３と、真空圧を発生させる真空圧発生装置を有する真空ステーション４と、を備えて構成されている。
【００３６】
この固液分離装置１は、ホッパで受容した糞尿をスクリューの回転による圧力で脱水するスクリュープレス方式のもので、糞尿から液体分を分離して、固体分に含まれる液体分の割合を減少させる。
【００３７】
なお、この固液分離装置１は、スクリュープレス方式に限定されるものではなく、藁などの固形分を多く含む糞尿から液体分を脱水できるものであればどのような方式のものでも適用できる。
【００３８】
また、真空弁ユニットとしてのマンホール２は、図３に示すように、液体分が流入する流入管２１、液体分を貯留する汚水マス２２、汚水マス２２に貯留された液体分を吸い込む吸込管２３、汚水マス２２内の水位を検知する水位検知管２４、真空圧によって弁を開閉させる真空弁本体２５、真空弁本体２５を制御するコントローラ２６、清掃作業時に真空圧を封止させる仕切り弁２７、液体分を排出する汚水排水管２８、などを備えている。
【００３９】
そして、汚水マス２２内の水位があらかじめ設定された水位よりも低い場合には真空弁本体２５を閉弁して液体分を貯留し、設定された水位に達した場合には真空弁本体２５を開弁して貯留された液体分を真空圧によって吸込管２３から吸い込み、汚水排水管２８を通じて真空管路３内に取り込む。
【００４０】
さらに、真空管路３は、下水道用硬質塩化ビニルや可撓性を有するポリエチレン管などによって長尺筒状に形成される管路であり、０．２％以上の緩やかな下り勾配となっている緩傾斜部３１と、高低差３０ｃｍ程度の上り勾配となっているリフト部３２と、を交互に組み合わせて形成される。
【００４１】
また、真空ステーション４は、液体分を貯留するタンク、タンク内を減圧する真空ポンプ、液体分を圧送する圧送ポンプなどを有しており、マンホール２の真空弁本体２５から真空管路３までを０．４気圧程度（真空状態）に保持している。
【００４２】
なお、この真空を発生させる真空圧発生装置は、真空ポンプを用いた真空ポンプ式に限定されるものではなく、エジェクタを用いたエジェクタ式のものを適用することもできる。
【００４３】
次に、図１を用いて、家畜糞尿輸送システムＳを用いて、家畜の糞尿を輸送する方法の概略について説明する。
【００４４】
まず、牛舎６１から排出された糞尿は、ベルトコンベア６２によって搬送されて固液分離装置１のホッパに投入される。
【００４５】
次に、固液分離装置１に投入された糞尿は、スクリュープレスによって主に液体分と藁などの固形物を多く含有する固体分とに分離される。
【００４６】
そして、分離された固体分はベルトコンベア６３によって堆肥舎６４まで運搬され、液体分は液受け部１１（図２参照）から自然流下管路６６を通じてマンホール２に自然流下する。
【００４７】
つづいて、このマンホール２内の液面の上昇が水位検知管２４を介してコントローラ２６によって検知されると、マンホール２の真空弁本体２５が開弁されて、液体分は真空に保持された真空管路３に取り込まれる。
【００４８】
さらに、真空管路３に取り込まれた液体分は、真空圧によって空気が吸引されて膨張することで、気液混相流となってリフト部３２を次々と乗り越えて真空ステーション４のタンクまで到達する。
【００４９】
最後に、タンクから圧送ポンプによって糞尿タンク６７へ液体分が圧送されて糞尿の輸送が完了する。
【００５０】
次に、図１，４を用いて、マンホール２内の水位変動に伴う固液分離装置１及び真空弁ユニットとしてのマンホール２の動作について説明する。
【００５１】
まず、固液分離装置１が作動すると、糞尿から分離された液体分がマンホール２に随時流入し、マンホール２に貯留される。
【００５２】
つづいて、マンホール２内の水位上昇を水位検知管２４を介してコントローラ２６が検知すると、真空弁本体２５が開弁されて液体分が吸込管２３に吸い込まれる。この一連の貯留・吸込処理は、固液分離装置１が分離する液体分の処理量に応じて複数回繰り返される。
【００５３】
そして、固液分離装置１が停止して所定の待ち時間Ｔ１が経過すれば（タイマーＡ）、通水が開始され、洗浄水がマンホール２に随時流入し、マンホール２に貯留される。
【００５４】
つづいて、マンホール２内の水位上昇を水位検知管２４を介してコントローラ２６が検知すると、真空弁本体２５が開弁されて洗浄水が吸込管２３に吸い込まれる。この一連の貯留・吸込処理は、洗浄水の通水量に応じて複数回繰り返される。
【００５５】
最後に、通水を開始して所定の通水時間が経過すれば（タイマーＢ）、通水が停止される。
【００５６】
次に、図５のフローチャートを用いて、通水手段５によって通水を開始する通水開始処理（タイマーＡ）について説明する。
【００５７】
まず、固液分離装置１が作動すると（ステップＳ１）、糞尿から液体分が分離される（ステップＳ２）。
【００５８】
次に、液体分が自然流下又はポンプ圧送によってマンホール２に随時流入することで（ステップＳ３）、マンホール２内の水位が徐々に上昇する（ステップＳ４）。
【００５９】
そして、あらかじめ設定された水位まで達したことが水位検知管２４を介してコントローラ２６によって検知されると、真空弁本体２５が開弁されて（ステップＳ５）液体分が吸込管２３に吸い込まれる。
【００６０】
そうすると、マンホール２内の水位は下降し（ステップＳ７）、この水位下降を水位検知管２４を介してコントローラ２６が検知すると、真空弁本体２５が閉弁される（ステップＳ８）。
【００６１】
この時、固液分離装置１が停止しているかどうかを判断し（ステップＳ９）、停止していなければ（ステップＳ９のＮＯ）、再びマンホール２内の水位が上昇するため（ステップＳ４）、一連の貯留・吸込処理を繰り返す（ステップＳ４〜Ｓ９）。
【００６２】
固液分離装置１が停止していれば（ステップＳ９のＹＥＳ）、通水のための待ち時間Ｔ１を制御するタイマーＡをリセットして（ステップＳ１０）、時間を積算して待ち時間Ｔ１の経過を待つ（ステップＳ１１〜Ｓ１３）。
【００６３】
そして、待ち時間Ｔ１が経過する前に固液分離装置１が稼動されれば（ステップＳ１２のＮＯ）、再びマンホール２内の水位が上昇するため（ステップＳ４）、一連の貯留・吸込処理を繰り返す（ステップＳ４〜Ｓ１２）。
【００６４】
一方、固液分離装置１が稼動されずに（ステップＳ１２のＹＥＳ）、待ち時間Ｔ１が経過すれば（ステップＳ１３のＹＥＳ）、通水バルブ５１を開いて通水を開始して処理を終了する（ステップＳ１４）。
【００６５】
ここにおいて、上記のタイマーＡに設定された所定の待ち時間Ｔ１は、自然流下方式では自然流下管路６６を液体分が流下する流下時間以上に設定され、ポンプ圧送式では圧送管路５５を通じて液体分が圧送される圧送時間以上に設定される。
【００６６】
次に、図６（ａ）（ｂ）のフローチャートを用いて、通水手段５Ａ，５Ｂによって通水を停止する通水停止処理について説明する。
【００６７】
まず、通水時間Ｔ２に基づいて通水停止処理する場合について、図６（ａ）を参照しながら説明する。
【００６８】
この通水停止処理では、まず、タイマーＢをリセットしたうえで（ステップＳ２１）、通水バルブ５１を開いて通水する（ステップＳ２２）。
【００６９】
つづいて、時間を積算し（ステップＳ２３）、所定の通水時間Ｔ２が経過したかどうかを判定する（ステップＳ２４）。
【００７０】
所定の通水時間Ｔ２が経過していなければ（ステップＳ２４のＮＯ）、所定の通水時間Ｔ２が経過するまで、時間積算・判断を繰り返す（ステップＳ２３，Ｓ２４）
所定の通水時間Ｔ２が経過していれば（ステップＳ２４のＹＥＳ）、通水バルブ５１を閉じて通水を停止する。
【００７１】
ここにおいて、上記の所定の通水時間Ｔ２は、通水手段５Ａ，５Ｂの流量、マンホール２の容量、真空管路３の内面の高粘度物の付着状況を考慮して設定するが、最短の場合でも真空弁本体２５の開弁に必要な流量を通水可能な時間以上に設定する。
【００７２】
次に、通水流量Ｖ１に基づいて通水停止処理する場合について、図６（ｂ）を参照しながら説明する。
【００７３】
この通水停止処理では、まず、流量計をリセットしたうえで（ステップＳ３１）、通水バルブ５１を開いて通水する（ステップＳ３２）。
【００７４】
つづいて、流量を計測し（ステップＳ３３）、所定の通水流量Ｖ１を通水したかどうかを判定する（ステップＳ３４）。
【００７５】
所定の通水流量Ｖ１が通水されていなければ（ステップＳ３４のＮＯ）、所定の通水流量Ｖ１が通水されるまで、流量計測・判断を繰り返す（ステップＳ３３，３４）
所定の通水流量Ｖ１が通水されていれば（ステップＳ３４のＹＥＳ）、通水バルブ５１を閉じて通水を停止する。
【００７６】
ここにおいて、上記の所定の通水流量Ｖ１は、通水手段５Ａ，５Ｂの流量、マンホール２の容量、真空管路３の内面の高粘度物の付着状況を考慮して設定するが、最少の場合でも真空弁本体２５の開弁に必要な流量以上に設定する。
【００７７】
次に、本実施の形態の家畜糞尿輸送システムＳの作用について説明する。
【００７８】
このように、本実施の形態の家畜糞尿輸送システムＳは、家畜の糞尿から液体分を分離する固液分離装置１と、分離された液体分を一時的に貯留して所定量になったときに真空圧によって吸い出す真空弁ユニットとしてのマンホール２と、吸い出された液体分を真空圧によって輸送する真空管路３と、真空圧を発生させる真空ステーション４と、を備えている。
【００７９】
このように、真空式下水道システムを家畜糞尿輸送システムＳに適用する前処理として、固液分離装置１によって固体分を取り除くことで、固体分によって真空管路３が閉塞されることなく、液体分を効率よく輸送できる。
【００８０】
つまり、真空管路３に家畜の糞尿を流そうとすると、糞尿に多量に含まれる藁などの固体分が真空管路３に詰まってしまうが、固液分離装置１によって液体分を分離して真空管路３によって輸送すれば、糞尿の液体分のみを真空管路３を通じて効率よく輸送できる。
【００８１】
そして、輸送された液体分は、バイオガスプラントＢに集められて発酵された後に、施設内において電力・温水に利用され、酪農家Ｒにおいて冬季の暖房等のエネルギーとして活用され、有機肥料として活用される。
【００８２】
他方、液体分の割合が減少した固体分は発酵が速いうえに臭いも少なくなっているため、輸送されずに酪農家Ｒの堆肥舎６４で発酵された後に牧草地で堆肥として活用される。
【００８３】
このように、家畜の糞尿から液体分を分離して、固体分は酪農家Ｒで発酵処理し、液体分はバイオガスプラントＢで集中的に効率よく発酵処理されることで、家畜糞尿処理プラントＰ全体として効率の優れた家畜糞尿輸送システムＳとなる。
【００８４】
加えて、家畜糞尿輸送システムＳに真空式下水道システムが適用されることで、真空管路３の埋設深度が浅い、埋設物の回避が容易、真空弁ユニットに電源供給が不要、上り勾配でもマンホールポンプが不要、負圧に保たれるため漏水を抑制できる、などの特徴を備えている。
【００８５】
特に、真空式下水道システムが適用されることで、搬送管路内が負圧なので大腸菌群や窒素などを含むとともに悪臭を放つ家畜の糞尿の漏水を防止できることは、環境対策としての効果が大きい。
【００８６】
また、真空弁ユニットとしてのマンホール２には、真空管路３の内面を洗浄する洗浄水を供給する通水手段５Ａ，５Ｂが接続されることで、高粘度の液体分が真空管路３の内面に付着しても、マンホール２を介して通水して洗浄できる。
【００８７】
すなわち、固液分離装置１で分離された液体分には、水分以外にも種々の微小な固形物などが含有されており、従って、高粘度な液体は真空管路３内を移動する際に内面に付着する。
【００８８】
そして、付着物を放置すると、さらに付着物が付着しやすくなるため、加速度的に付着物が増加して、最終的には管路断面を閉塞してしまう可能性がある。
【００８９】
そこで、マンホール２に通水手段５Ａ，５Ｂを接続して通水することで、真空管路３を洗浄することができる。
【００９０】
さらに、通水手段５Ａ，５Ｂは、固液分離装置１が停止して所定の待ち時間Ｔ１が経過した場合に通水を開始することで、供給された洗浄水が分離された液体分と混合されないで洗浄することができる。
【００９１】
つまり、固液分離装置１が停止してすぐに通水を開始すると、自然流下管路６６や圧送管路５５に糞尿の液体分が残留している状態で通水することになり、洗浄水と混合されてしまう。
【００９２】
そうすると、糞尿の液体分が混合された洗浄水によって真空管路３を洗浄することとなるため、効率よく洗浄できなくなる。
【００９３】
そこで、所定の待ち時間Ｔ１として流下時間又は圧送時間待つことで、糞尿の液体分が自然流下管路６６や圧送管路５５を完全に流下した状態で通水できるため、清浄な洗浄水によって真空管路３を洗浄することができる。
【００９４】
そして、通水手段５は、通水を開始して所定の通水時間Ｔ２が経過した場合又は通水を開始して所定の通水流量Ｖ１を通水した場合に通水を停止することで、洗浄のための水量が不足することなく、適切な水量によって真空管路３の内面を確実に洗浄できる。
【００９５】
すなわち、あらかじめ所定の通水時間Ｔ２や所定の通水流量Ｖ１を設定し、これらに基づいて通水停止制御することで、真空管路３の洗浄を自動化して洗浄し忘れることを防止できるうえに、最適な通水量によって真空管路３の内面を確実に洗浄できる。
【００９６】
この場合、通水して最初に真空弁本体２５が開弁される際には、必ず洗浄水と液体分とが混合されることになるため、少なくとも２回は開弁されるだけの流量を流すことが好ましい。
【００９７】
また、通水手段５Ａ，５Ｂは、固液分離装置１によって分離された液体分を受容する液受け部１１に接続されることで、マンホール２の上流側の自然流下管路６６及び圧送管路５５と下流側の真空管路３の両方の管路を洗浄できる。
【００９８】
つまり、自然流下管路６６や圧送管路５５には、真空管路３と同じ糞尿の液体分が通過するため、この自然流下管路６６や圧送管路５５にも洗浄水を通水する必要がある。
【００９９】
そこで、この自然流下管路６６や圧送管路５５の上流側にある固液分離装置１の液受け部１１に通水手段５Ａ，５Ｂを接続することで、自然流下管路６６や圧送管路５５を洗浄できる。
【０１００】
さらに、このように糞尿の液体分と同じ管路を用いることで、特別に管路を設けて通水しなくても、既存の管路を利用して通水することができる。
【０１０１】
以上、図面を参照して、本発明の最良の実施の形態を詳述してきたが、具体的な構成は、この実施の形態に限らず、本発明の要旨を逸脱しない程度の設計的変更は、本発明に含まれる。
【０１０２】
例えば、前記実施の形態では、通水手段が固液分離装置１の液受け部１１に接続される場合について説明したが、これに限定されるものではなく、真空弁ユニットとしてのマンホール２に直接に接続されるものであってもよい。
【０１０３】
また、前記実施の形態では、所定の待ち時間Ｔ１として流下時間や圧送時間に基づいて通水開始制御する場合について説明したが、これに限定されるものではなく、洗浄する時刻を決めて定期的に通水するものであってもよいし、待ち時間方式と定時刻方式とを併用するものであってもよい。
【０１０４】
さらに、前記実施の形態では、家畜糞尿輸送システムＳが、家畜糞尿処理プラントＰに適用される場合について説明したが、これに限定されるものではなく、家畜の糞尿を輸送する場合に広く適用可能である。
【図面の簡単な説明】
【０１０５】
【図１】本発明の最良の実施の形態の家畜糞尿輸送システムを備える家畜糞尿処理プラントの全体構成を説明するブロック図である。
【図２】通水手段の構成を説明するブロック図である。（ａ）は自然流下式の場合であり、（ｂ）はポンプ圧送式の場合である。
【図３】真空弁ユニットの構成を説明する断面図である。
【図４】真空弁ユニット内の水位変動に伴う固液分離装置及び真空弁ユニットの動作について説明する説明図である。
【図５】通水手段によって通水を開始する通水開始処理について説明するフローチャートである。
【図６】通水手段によって通水を停止する通水停止処理について説明するフローチャートである。（ａ）は通水時間に基づく場合であり、（ｂ）は通水流量に基づく場合である。
【符号の説明】
【０１０６】
Ｓ            家畜糞尿輸送システム
Ｔ１          待ち時間
Ｔ２          通水時間
Ｖ１          通水流量
１            固液分離装置
１１          液受け部
２            マンホール（真空弁ユニット）
２６          コントローラ
３            真空管路
４            真空ステーション
５Ａ，５Ｂ    通水手段
５１          通水バルブ
５２          通水管
５３          溜めマス
５４          ポンプ
５５          圧送管路
６６          自然流下管路
【図１】
0005053910.tif 000002
【図２】
0005053910.tif 000003
【図３】
0005053910.tif 000004
【図４】
0005053910.tif 000005
【図５】
0005053910.tif 000006
【図６】
0005053910.tif 000007